(57)【要約】【課題】  簡便な構造により、主回路室と制御室を分離可能とし得る配電盤を提供する。【解決手段】  複数の主回路機器および制御回路機器を筐体１１内に隔壁板１７で区画した状態で格納した配電盤であって、前記主回路機器が格納された主回路室１２を構成する第一の筐体１４に隔壁板１７と共に中間枠体１８を取り付け、制御回路機器が格納された制御室１３を構成する第二の筐体１５を前記中間枠体１８に取り付けることにより、前記第一の筐体１４と第二の筐体１５でもって主回路室１２と制御室１３を独立して区画する。【選択図】    図１
2006211788.tif 000002
【特許請求の範囲】
【請求項１】
複数の主回路機器および制御回路機器を筐体内に隔壁板で区画した状態で格納した配電盤であって、前記主回路機器が格納された主回路室を構成する第一の筐体に隔壁板と共に中間枠体を取り付け、制御回路機器が格納された制御室を構成する第二の筐体を前記中間枠体に取り付けることにより、前記第一の筐体と第二の筐体でもって主回路室と制御室を独立して区画したことを特徴とする配電盤。
【請求項２】
前記中間枠体は、断面コ字状をなす請求項１に記載の配電盤。
【発明の詳細な説明】
【技術分野】
【０００１】
本発明は、配電盤に関し、詳しくは、変電所などの屋内あるいは屋外に設置される金属閉鎖形スイッチギヤに用いられる配電盤に関する。
【背景技術】
【０００２】
例えば、変電所などの屋内あるいは屋外に設置される金属閉鎖形スイッチギヤに用いられる配電盤として、図８〜図１０に示すものがある。図８は配電盤の外観を示す斜視図、図９は図８の平面図、図１０は図９のＢ部拡大断面図である。この種の配電盤は、スイッチギヤの主回路を構成する複数の主回路機器と、そのスイッチギヤの主回路を制御する制御回路を構成する複数の制御回路機器を筐体１内に格納した形態を具備する。
【０００３】
このスイッチギヤの筐体１内では、前述の主回路機器が格納された主回路室２を構成する後部筐体部４と、制御回路機器が格納された制御室３を構成する前部筐体部５とに区画され、制御室３の前方に位置する前部筐体部５の前面には、正面扉６が取り付けられている。
【０００４】
スイッチギヤにおいては、その正面扉６を開放した時に、主回路機器および配線が露呈しないように主回路室２と制御室３の間に隔壁板７を設けることにより、ＪＥＭ規格に適合するようにしている（図１０参照）。
【０００５】
この隔壁板７は、図１０に示すように制御室３を構成する前部筐体部５の折り曲げ部９を利用して取り付けられている。つまり、主回路室２を構成する後部筐体部４に隔壁板７と共に前部筐体部５の折り曲げ部９をボルト止め等により取り付けるようにしている。
【発明の開示】
【発明が解決しようとする課題】
【０００６】
ところで、前述した従来の配電盤では、主回路機器を格納した主回路室２と制御回路機器を格納した制御室３が筐体１内で隔壁板７により区画されているとはいえ、その隔壁板７の取り付け構造が、前述したように前部筐体部５の折り曲げ部９と共に後部筐体部４にボルト止め等により取り付けるようになっている。
【０００７】
そのため、配電盤の製作に際しては、図１１〜図１３に示すように主回路室２を構成する後部筐体部４に、隔壁板７と前部筐体部５を同時に組み付けなければならない。したがって、制御室３を構成する前部筐体部５を組み付けることにより、隔壁板７を後部筐体部４に取り付けることができて主回路室２を構成することができる。
【０００８】
このように後部筐体部４への隔壁板７の取り付けが前部筐体部５の組み付けに依存するため、以下のような問題があった。まず、配電盤を構成する主回路機器と制御回路機器の組み合わせは多種多様であり、回路全体の標準化が困難であった。また、配電盤の製作に際しては、筐体１の前面開口部が狭くなっているので、組み立て作業に制約を受けやすく、その結果、製作リードタイムが冗長になって組み立て作業の短縮化が困難であった。また同様に、配電盤の製作において、主回路機器あるいは制御回路機器の少なくともいずれか一方でも、組み立て作業工程への部品供給が遅れると、次の検査工程へ移行することができず、製造ラインの停止などを招来する可能性があった。
【０００９】
そこで、本発明は前述の問題点に鑑みて提案されたもので、その目的とするところは、簡便な構造により、主回路室と制御室を独立して構成可能にし得る配電盤を提供することにある。
【課題を解決するための手段】
【００１０】
前記目的を達成するための技術的手段として、本発明は、複数の主回路機器および制御回路機器を筐体内に隔壁板で区画した状態で格納した配電盤であって、前記主回路機器が格納された主回路室を構成する第一の筐体に隔壁板と共に中間枠体を取り付け、制御回路機器が格納された制御室を構成する第二の筐体を前記中間枠体に取り付けることにより、前記第一の筐体と第二の筐体でもって主回路室と制御室を独立して区画したことを特徴とする。なお、前述の中間枠体は、断面コ字状をなす形状が望ましい。
【００１１】
本発明では、主回路機器が格納された主回路室を構成する第一の筐体に隔壁板と共に中間枠体を取り付け、制御回路機器が格納された制御室を構成する第二の筐体を前記中間枠体に取り付けることでもって、前記第一の筐体と第二の筐体でもって主回路室と制御室を独立して区画したことにより、主回路機器が格納された主回路室を構成し、隔壁板が取り付けられた第一の筐体と、制御回路機器が格納された制御室を構成する第二の筐体とを個々に製作し、組立完了済みの第一の筐体に対して組立完了済みの第二の筐体を組み付けることが可能となる。
【発明の効果】
【００１２】
本発明によれば、主回路機器が格納された主回路室を構成する第一の筐体に隔壁板と共に中間枠体を取り付け、制御回路機器が格納された制御室を構成する第二の筐体を前記中間枠体に取り付けることでもって、前記第一の筐体と第二の筐体でもって主回路室と制御室を独立して区画したことにより、配電盤の回路全体の標準化が図れる。
【００１３】
また、主回路機器が格納された主回路室を構成し、隔壁板が取り付けられた第一の筐体と、制御回路機器が格納された制御室を構成する第二の筐体とを個々に製作し、組立完了済みの第一の筐体に対して組立完了済みの第二の筐体を組み付けることが可能となるので、配電盤の製作に際して、組み立て作業を並行して行うことができるので、組み立て作業に制約を受けることもなく、製作リードタイムの短縮化が図れて生産性を向上させることができる。
【００１４】
さらに、配電盤の製作において、主回路室と制御室を別々に組み付けることで、個々に検査作業を実施することができ、この検査作業も並行して行うことができるので、製作リードタイムの短縮化をより一層図れて生産性を大幅に向上させることができる。
【発明を実施するための最良の形態】
【００１５】
図１は本発明に係る実施形態で、変電所などの屋内あるいは屋外に設置される金属閉鎖形スイッチギヤに用いられる配電盤の組立分解斜視図、図２はその組立完了斜視図、図３は図２の平面図、図４は図３のＡ部拡大断面図を示す。
【００１６】
この実施形態の配電盤は、図１〜図３に示すようにスイッチギヤの主回路を構成する複数の主回路機器と、そのスイッチギヤの主回路を制御する制御回路を構成する複数の制御回路機器を筐体１１内に格納した形態を具備する。
【００１７】
このスイッチギヤの筐体１１内では、主回路機器が格納された主回路室１２を構成する第一の筐体１４と、制御回路機器が格納された制御室１３を構成する第二の筐体１５とに独立して区画されて、制御室１３の前方に位置する第二の筐体１５の前面には正面扉１６が取り付けられている。
【００１８】
このスイッチギヤにおいては、その正面扉１６を開放した時に、主回路機器および配線が露呈しないように主回路室１２と制御室１３の間に隔壁板１７を設けることにより、ＪＥＭ規格に適合するようにしている（図４参照）。
【００１９】
この実施形態の配電盤では、主回路室１２を構成する第一の筐体１４と、制御室１３を構成する第二の筐体１５とが独立分離可能な構造を具備する。つまり、図４に示すように第一の筐体１４に隔壁板１７と共に中間枠体１８を取り付け、その中間枠体１８に第二の筐体１５の折り曲げ部１９を取り付けた構造としている。この中間枠体１８は、断面コ字状をなす形状を有し、中間枠体１８を第一の筐体１４にボルト止め等により固着し、同様に、第二の筐体１５を中間枠体１８にボルト止め等により固着する。
【００２０】
この配電盤は、主回路機器が格納された主回路室１２を構成する第一の筐体１４に隔壁板１７と共に中間枠体１８を取り付け、その中間枠体１８に、制御回路機器が格納された制御室１３を構成する第二の筐体１５を取り付けた構造としたことにより、主回路室１２と制御室１３が独立して区画されている。
【００２１】
配電盤の製作に際しては、図５〜図７に示すように主回路機器が格納された主回路室１２を構成し、隔壁板１７が取り付けられた第一の筐体１４と、制御回路機器が格納された制御室１３を構成する第二の筐体１５とを個々に製作し、組立完了済みの第一の筐体１４に対して組立完了済みの第二の筐体１５を組み付けることが可能である。このように主回路室１２と制御室１３が独立して区画されていることから、配電盤の回路全体の標準化が図れる。
【００２２】
また、配電盤の製作に際しては、主回路室１２を構成し、隔壁板１７が取り付けられた第一の筐体１４と、制御室１３を構成する第二の筐体１５を個々に製作することができるので、その組み立て作業を並行して行うことができる。
【００２３】
さらに、配電盤の製作において、第一の筐体１４と第二の筐体１５を別々に組み付けることで、第一の筐体１４の主回路室１２の検査と、第二の筐体１５の制御室１３の検査を別個に行うことができ、この検査作業も並行して行うことができる。
【図面の簡単な説明】
【００２４】
【図１】本発明に係る配電盤の実施形態を示す組立分解斜視図である。
【図２】本発明の実施形態で、図１の組立完了斜視図である。
【図３】本発明の実施形態で、図２の平面図である。
【図４】本発明の実施形態で、図３のＡ部拡大断面図である。
【図５】本発明の実施形態で、配電盤の主回路室と制御室を分離した状態を示す斜視図である。
【図６】本発明の実施形態で、図５の平面図である。
【図７】本発明の実施形態で、図６の要部拡大断面図である。
【図８】配電盤の従来例を示す組立完了斜視図である。
【図９】配電盤の従来例で、図８の平面図である。
【図１０】配電盤の従来例で、図９のＢ部拡大断面図である。
【図１１】配電盤の従来例で、主回路室と制御室を分解した状態を示す斜視図である。
【図１２】配電盤の従来例で、図１１の平面図である。
【図１３】配電盤の従来例で、図１２の要部拡大断面図である。
【符号の説明】
【００２５】
１１  筐体
１２  主回路室
１３  制御室
１４  第一の筐体
１５  第二の筐体
１７  隔壁板
１８  中間枠体
【図１】
2006211788.tif 000003
【図２】
2006211788.tif 000004
【図３】
2006211788.tif 000005
【図４】
2006211788.tif 000006
【図５】
2006211788.tif 000007
【図６】
2006211788.tif 000008
【図７】
2006211788.tif 000009
【図８】
2006211788.tif 000010
【図９】
2006211788.tif 000011
【図１０】
2006211788.tif 000012
【図１１】
2006211788.tif 000013
【図１２】
2006211788.tif 000014
【図１３】
2006211788.tif 000015